Podtech/llm-jp-corpus-v4-ja_patent huggingface dataset:
(57)【要約】      （修正有）【課題】フレコン袋の口を開けたまま立たせておくことができるフレコン袋専用立脚枠を提供する。【解決手段】円形のリングに等間隔に４本のプレート２を垂直に、細い面がリングの中心に向くように設置し向かい合うプレートが一直線上になるようにする。プレート２には２つの穴Ａ、Ｂを縦に設ける。一端に２つの穴を縦に設けた脚３の一端の穴を、プレート２のリングに近い穴Ａに合わせ連結する。脚３を立てた状態の時、プレート２の下の穴Ｂと、脚３の下の穴は連結出来る位置とし、そのピン５でスプリング６によって固定出来るようにする。リングの対角線上の２カ所で口拡用のピン７で連結し、リングが水平方向に開き、また連結出来るようにする。【選択図】図２
0003213530.tif 000002
【実用新案登録請求の範囲】
【請求項１】
本案は円形のリング▲１▼に等間隔に４本のプレート▲２▼を設置する、そのプレート▲２▼に連結用の穴２個（Ａ  Ｂ）を縦に設ける、一端に穴ＡＢに連結させるための穴２個を縦に設けた脚▲３▼の一端の穴をプレート▲２▼の穴Ａに連結する、脚を立てた状態の時  プレート▲２▼の下の穴Ｂと同じ位置に穴を設けた脚と連結出来るようにする、穴Ｂと脚▲３▼の下の穴を連結するピン▲５▼はスプリング▲６▼を利用して抜き差しが出来るようにする、リング▲１▼に設置するプレート▲２▼は対角一直線上にそろえて設置する、リング▲１▼の対角線上となる位置２カ所に連結部分を設けピンで連結する  以上のことを特徴とするフレコン袋専用立脚枠。
【考案の詳細な説明】
【技術分野】
【０００１】本案はフレコン袋の口を広げて立てておくための機具の考案である。
【背景技術】
【０００２】従来  フレコン袋に物を入れようとする時  人力で口を広げて持っているのは危険であり  手軽に現場に持ち運べる機具が必要であった、またフレコン袋に物を入れると膨らんでしまい、袋を枠の中に入れるタイプは  袋が出せなくなり枠を外す事になってしまう  問題点があった。
【考案の明示】
【考案が解決しようする課題】
【０００３】手軽に持ち運び出来るようにするため  軽量で最小限の幅になるような構造にしてあり  もちろん従来のように袋を枠の中に入れて設置も出来  物を入れて袋が膨らんでも  リングを広げて枠を外す事も、また枠を袋の中に入れて設置出来  その時は  枠を上に抜き取ることも簡単に出来るようにしてある、そして脚を収納固定するにあたりピンやひもを使わず  脚のしなり弾性力を利用する構造にしてある。
【課題を解決するための手段】
【０００４】本案は持ち運びを手軽にするため  軽量で最小幅になるような構造で  特に脚収納時  脚の弾性力で脚を固定出来るようにしてあり、袋が膨らみ  外せない時のために  リング▲１▼が広げられるようにしてある、
円形のリング▲１▼に等間隔に４本のプレート▲２▼を垂直に  細い面がリングの中心に向くように設置し向かい合うプレートが一直線上になるようにする  プレート▲２▼には２つの穴（ＡＢ）を縦に設ける  一端に２つの穴を縦に設けた脚▲３▼の一端の穴を  プレート▲２▼のリングに近い穴Ａに合わせ連結する、脚▲３▼を立てた状態の時  プレート▲２▼の下の穴Ｂと  脚▲３▼の下の穴は連結出来る位置とし  そのピン▲５▼はスプリング▲６▼によって固定出来るようにする、リング▲１▼の対角線上の２カ所で口拡用のピン▲７▼で連結し  リングが水平方向に開き  また連結出来るようにする、  脚を収納したとき中央部で脚が十字に交差し  相対する位置にあるプレートに脚の先が当たるが  プレートの側面にずらして収納することによりお互い邪魔することなく  最小幅で収納出来  脚が脚の弾性力で固定される事を特徴とするフレコン袋専用立脚枠。
【考案の効果】
【０００５】本案を使用することにより  運搬時  本案の収納した状態の機具は幅が狭くしてあるので手軽に持ち運びできる  基本的には枠を袋の中に入れて使うタイプなので  物を入れ袋が膨らんでも  枠を簡単に引き抜く事が出来る、また袋を枠の中に入れて使用して袋が満杯で膨らんでしまっても  脚を穴Ｂで連結しているピン▲５▼を引いて脚を外側に広げる事も、リングを連結しているピン▲７▼を抜いて枠を広げる事も出来る  また収納時脚を相対するプレートの横に押し込む用にしてあるので  脚の弾力で脚を固定状態にしておく事が出来る。
【考案を実施するための最良の形態】
【０００６】本案を使用する時は  収納時状態でプレート▲２▼が設置されている方を上にし  ピン▲５▼を引いて脚▲３▼を少し横に引いて上に立ち上げればスプリング▲６▼が効いて垂直になったところでピン▲５▼が差し込まれ  脚が固定される、フレコン袋は枠の中にセットしても、外側にセットしても良く万一袋が満杯になって膨らんでしまっても、脚のピン▲５▼を引いて脚を広げる事も  枠のピン▲４▼を抜いて枠を広げることも出来る、収納時は穴Ｂと連結しているピン▲５▼を引いて脚を倒し相手側にあるプレート横に少し引いて押し込むと脚の弾性力で固定される。
【図面の簡単な説明】
【０００７】
【図１】  本考案の平面図
【図２】  本考案の使用時側面図
【図３】  本校案の収納時の側面図
【０００８】▲１▼リング
▲２▼プレート
▲３▼脚
▲４▼穴Ａ  Ｂ
▲５▼ピン
▲６▼スプリング
▲７▼広拡用ピン
【図１】
0003213530.tif 000003
【図２】
0003213530.tif 000004
【図３】
0003213530.tif 000005
(57)【要約】      （修正有）【課題】庭や花壇に地植えする場合、風雨により土が流れ出すことを防止し、草花を保護できるカバーを提供する。【解決手段】両端部が開口した筒状のカバーであり、草花の周りに設置する。【選択図】図３
0003213511.tif 000002
【実用新案登録請求の範囲】
【請求項１】
庭や、畝に本考案を直置きして内部に土を入れ、草花を植栽して、草花の保護をし、美的にするカバー
【考案の詳細な説明】
【技術分野】
【０００１】
本考案は植栽時に本考案の草花カバーを設置すること。
【背景技術】
【０００２】
従来は畝や盛土をして植栽している。
植栽後風雨で折れたり畝が流れたりした。
【先行技術文献】
【特許文献】
【０００３】
【特許文献１】実用新案広報（実登）３０８０３９７  花カバーおよび花カバー付植樹
【考案の概要】
【考案が解決しようとする課題】
【０００４】
植栽時の草花の保護と美化と乾燥防止
【課題を解決するための手段】
【０００５】
植栽位置に当初から本考案の草花カバーを設置してその内部に植栽する
【考案の効果】
【０００６】
植栽直後の風雨からの保護、当初から周辺の美化、急激な乾燥防止
【図面の簡単な説明】
【０００７】
【図１】本考案の陶器による試作品
【図２】本考案試作品に土を入れた植栽前の試作品
【図３】本考案に植栽した後の試作品
【考案を実施するための形態】
【０００８】
従来の花瓶や植木鉢は内部の水や土を自然から切り離して器として使用している。本考案は庭や畑のつちをそのまま使用して植栽することができる。本考案の材質は陶器やプラスチック等従来の花瓶や植木鉢プラウンタウンに使われた素材であるが、試作品は陶器を使用している
【実施例】
【０００９】
図ー3で表現した通り、庭や畑で使用できる。
【産業上の利用可能性】
【００１０】
草花を植えた当初から、風による倒壊や雨による土の流失を防ぎ草花の特徴にあった模様を施し個性の表現が演出される。
【符号の説明】
【００１１】
図ー１  陶器による試作品    図ー２  使用位置に設置して土を入れた状態  図ー３  花（アジサイ）植栽完了
【図１】
0003213511.tif 000003
【図２】
0003213511.tif 000004
【図３】
0003213511.tif 000005
【手続補正書】
【提出日】平成29年9月13日(2017.9.13)
【手続補正１】
【補正対象書類名】実用新案登録請求の範囲
【補正対象項目名】全文
【補正方法】変更
【補正の内容】
【実用新案登録請求の範囲】
【請求項１】
両端部が開口した筒状の草花カバー。
(57)【要約】      （修正有）【課題】車椅子利用者が架台の上で一人でも容易に操作して上下移動できるように構成した装置を提供する。【解決手段】車椅子本体１２を乗せる架台を設け、架台を上下移動させるジャッキのボルト部シャフトに力を伝達するＶベルトとＶベルトを動かすハンドルを備え、車椅子利用者が架台の上で一人でも容易に操作して上下移動できるようにした。【選択図】図４
0003213509.tif 000002
【実用新案登録請求の範囲】
【請求項１】
ジャッキのネジ部シャフトに、ハンドルを廻しながら、Ｖベルトを介して力を伝達する。それによりジャッキで架台を上下移動させる。車椅子利用者が架台の上で一人でも容易に操作して上下移動できるよう構成した装置。
【考案の詳細な説明】
【技術分野】
【０００１】  本考案は、ジャッキを改良した事により車椅子利用者が一人でも段差のあるフロアを上下移動する為の装置に関するものである。
【背景技術】
【０００２】  一般住宅の玄関や犬走りの段差・店舗前にスロープ設けることが出来ない場所では車椅子利用者は単独で移動することが出来ないので諦めていた。
【考案の概要】
【考案が解決しようとする課題】
【０００３】  店舗前の段差や、玄関の段差は、スロープや動力昇降設備等を設ける必要がある。この事は時間的にも、経済的にも負担が大きく、またスペースも必要になる。車椅子利用者が一人でも操作できる装置にし、前述の問題を解決するものである。
【課題を解決するための手段】
【０００４】  本考案は、車椅子本体を乗せる架台を設け、この架台に車椅子利用者が直接乗り、ハンドルを廻すことにより、ジャッキの力により緩やかに上昇、下降できるようにして本人だけでも簡単に移動できるようにしたものである。
使用する鋼材質は屋外に於いては防錆を考慮しステンレスとする。
【考案の効果】
【０００５】  最小限のスペースで動力設備を使用しなくても、車椅子利用者が単独で安全に確実に移動できる。
また、経済的負担も少なく、住宅の段差や店舗前の段差にも対応できる。
【図面の簡単な説明】
【０００６】
【図１】  本考案で構成された正面図である。
【図２】  本考案で構成された側面図である。
【図３】  本考案の部分平面図である。
【図４】  本考案の実施例を示す立面図である。
【考案を実施するための形態】
【０００７】  本考案で構成された装置の設置場所を特定し土間コンクレートの場合は架台の寸法より立横共それぞれ２，０ｃｍ広い範囲で深さ１２，０ｃｍ下がりの土間コンクリートを造る。これと同時に排水用配管を布設しジャッキベースの周辺に水が溜まらないようにする。コンクリートの養生期間が終了後、構成材のジャッキベースをアンカーボルトで固定する。次いでジャッキ本体と架台を組立、順次補強材からＶベルト、ハンドル、握り手まで組み立てる。
架台上部面の仕上げ材は設置場所が内部に於いては、周囲と調和するフローリング材など、外部に於いては鋼製のチェッカープレートが良い。
架台の大きさは車椅子の必要範囲を考え巾７０，０ｃｍ奥行９０，０ｃｍとする。
【実施例】
【０００８】  添付図面に従って実施例を説明する。図１は本考案全体の正面図であり、左側が最下段位置図、右側が最高上昇位置図であり、この段差が昇降寸法であり、添付図面では３６．７ｃｍになる。３ジャッキアームのリーチを長くすると昇降寸法が大きくなる。４ボルトは左、右を逆ネジにする１０ハンドルを廻す回数を半減できる。図２は本考案の側面図あり６架台に取り付ける９補強枠可動金具によって、６架台が上下しても７補強枠の形状が維持できている。８Ｖベルトをチェーンに変えても効果は同様である。図３は本考案のジャッキベース部分と６架台下地補強のそれぞれの平面図である。１ジャッキベースの土間コンクリート部分には進入水の排水の為、排水口・排水管を設けている。
図４は、本考案に車椅子が乗った場合の実施例の立面図である。
７補強枠と８Ｖベルト側に壁面の施工が可能な場合は１０ハンドルと１１握り手以外は被覆しても良い。また段差の大きい場所の中間ステップとして利用することも出来る。
【符号の説明】
【０００９】１    ジャッキベース                      ８    Ｖベルト
２    アンカーボルト                      ９    補強枠可動金物
３    ジャッキアーム                      １０  ハンドル
４    ボルト                              １１  握り手
５    ナット                              １２  車椅子本体
６    架台                                １３  架台巾
７    補強枠                              １４  架台奥行
【図１】
0003213509.tif 000003
【図２】
0003213509.tif 000004
【図３】
0003213509.tif 000005
【図４】
0003213509.tif 000006
【手続補正書】
【提出日】平成29年8月29日(2017.8.29)
【手続補正１】
【補正対象書類名】実用新案登録請求の範囲
【補正対象項目名】全文
【補正方法】変更
【補正の内容】
【実用新案登録請求の範囲】
【請求項１】
車椅子本体を乗せる架台を設け、架台を上下移動させるジャッキのボルト部シャフトに力を伝達するＶベルトとＶベルトを動かすハンドルを備え、車椅子利用者が架台の上で一人でも容易に操作して上下移動できるよう構成した装置。
(57)【要約】      （修正有）【課題】市販のペットボトルに供給する粒子、粉体又は液体を詰まることなく、かつ漏れないよう円滑、短時間で供給できるペットボトル用供給継手を提供する。【解決手段】ペットボトル用供給継手１は、ペットボトルのねじ込み口に合致したメネジを備え、メネジはペットボトルのねじより長く、ペットボトルの中間部を切断し上部を流用したじょうご２をねじ込んで取付けることができる。以上により、あたかも、じょうご２、ペットボトル用供給継手１及びペットボトルの間隙が無く、一体となって、供給物は円滑にペットボトルに落下する。【選択図】図２
0003213505.tif 000002
【実用新案登録請求の範囲】
【請求項１】
［００１０］ペットボトルのねじ込み口に合致したメネジを備えたことを特徴とするペットボトル用供給継手。  ［００１１］ペットボトル用供給継手のメネジは、ペットボトルのねじより長く、ペットボトルの底部を切断し流用した“じょうご”をねじ込んで取付けることができることを特徴とするペットボトル用供給継手。
【考案の詳細な説明】
【技術分野】
【０００１】  ペットボトルのねじ込み口に合致したメネジを備えたペットボトル用供給継手。
【背景技術】
【０００２】  ペットボトル用供給継手のメネジは、ペットボトルの、ねじより長く、ペットボトルの底部を切断し流用したじょうごをねじ込んで取付使用出来ることを特徴とする。
【考案の概要】
【考案が解決しようとする課題】
【０００３】  従来の空ペットボトルに供給する一般のじょうごは、出口が狭いため粒子が米粒程の大きさの物を供給すると出口上部でブリッジ現象が発生し、目詰まりを度々起こす。また、出口部に隙間があり液体が漏れやすい欠点があった。
【課題を解決するための手段】
【０００４】  上記目的を解決するために、本考案のペットボトル用供給継手の内径はペットボトルのオネジ外形と同程度のため、供給継手部でブリッジ現象が発生せず詰まることなく円滑に、かつ短時間で供給することができる。
【考案の効果】
【０００５】  本発明に従って構成されたペットボトル用供給継手によれば、ペットボトルに供給する米粒や小豆程の粒子、粉体又は液体で目詰まりすることなく、かつ漏れが無く短時間に供給できるペットボトル用供給継手が提供される。
【図面の簡単な説明】
【０００６】
【図１】本考案に係るペットボトル用供給継手の平面図（断面）である。
【図２】本考案に係るペットボトル用供給継手と関連部品の正面図である
【考案を実施するための形態】
【０００７】  図１に示すように、ペットボトル用供給継手１はペットボトル口のオネジに合ったメネジが切ってある。
【０００８】  図２に示すように、ペットボトルのオネジにペットボトル用供給継手１をねじ込み、さらに、ペットボトルの底部を切断したじょうごをねじ込んで取付ける。このように、一体化され、供給物は円滑にペットボトルに落下する。
【符号の説明】
【０００９】１  ペットボトル用供給継手２  ペットボトルの底部を切断し半分にした、じょうご
【図１】
0003213505.tif 000003
【図２】
0003213505.tif 000004
【手続補正書】
【提出日】平成29年8月21日(2017.8.21)
【手続補正１】
【補正対象書類名】実用新案登録請求の範囲
【補正対象項目名】全文
【補正方法】変更
【補正の内容】
【実用新案登録請求の範囲】
【請求項１】
ペットボトルのねじ込み口に合致したメネジを備え、メネジはペットボトルのねじより長く、ペットボトルの中間部を切断し上部を流用したじょうごをねじ込んで取付けることができることを特徴とするペットボトル用供給継手。
(57)【要約】      （修正有）【課題】宝飾品には、ブローチ、ペンダント等の優れたデザインが沢山あり、それらをブレスレットとして着けられるようにする。【解決手段】本考案は、ブローチ、ペンダント等の宝飾品本体１に時計用のラグ２を設け、既製品又は特別に制作した腕時計バンド３と組み合わせることにより、デザイン性の高いブレスレットとして着ける事が可能となる。【選択図】図１
0003213506.tif 000002
【実用新案登録請求の範囲】
【請求項１】
ブローチ、ペンダント等の宝飾品を既製品の時計バンド又は、特別に製作した時計バンドと合体し、ブレスレットとして使用する。
【考案の詳細な説明】
【技術分野】
【０００１】本考案は宝飾品に腕時計のラグを設けた宝飾品である。
【背景技術】
【０００２】時計のバンドは腕時計をセットするだけに限られていました。
【考案の概要】
【０００３】宝飾品はブローチペンダント等の優れたデザインの商品が沢山あります。
それらをブレスレットとして着ければと考えます。
【課題を解決する手段】
【０００４】ブローチ、ペンダント等の宝飾品にラグを設け腕時計のバンドと組み合わせることにより、ブレスレットとして着ける事が可能となります。
【考案の効果】
【０００５】上述の様に、本考案は近年、携帯電話、スマートホン等の普及により、腕時計を着ける人が減少傾向にあります。宝飾品にラグを設けることにより、デザイン性の高いブレスレットとして着ける事が可能となります。
【図面の簡単な説明】
【０００６】
【図１】本考案の時計バンド宝飾品を示す正面図である。
【図２】時計バンド宝飾品を示す斜面図である。
【考案を実施するための形態】
【０００７】既製品又は、特別に制作した腕時計バンドの幅に合わせてブローチ、ペンダント等の宝飾品にラグを設ける。
【実施例】
【０００８】以下、添付図面に従って実例を説明する。本体１はプラチナ、金、シルバー等の金属の素材にて、３の既製品又は特別に制作した腕時計バンドの幅にあわせて、２のラグを設け、４のラグの穴へセットする。
【符号説明】
【０００９】１宝飾品本体
２ラグ
３腕時計バンド
４ラグの穴
【図１】
0003213506.tif 000003
【図２】
0003213506.tif 000004
【手続補正書】
【提出日】平成29年8月30日(2017.8.30)
【手続補正１】
【補正対象書類名】実用新案登録請求の範囲
【補正対象項目名】全文
【補正方法】変更
【補正の内容】
【実用新案登録請求の範囲】
【請求項１】
ブローチ、ペンダント等の宝飾品に時計用のラグを設け、時計バンドと組み合わせた特徴をもつブレスレット。
(57)【要約】      （修正有）【課題】マルチノズルシャワートイレを提供する。【解決手段】直落する糞便を避けるため複数のお尻ノズルを両脇に配置させ、複数方向からの射出水を空間の１点で交わらせることにより、肛門部を洗浄することを特徴とする。複数のノズルを両脇に配置させることにより、先ず洗浄ノズルへの汚物の付着というイメージを払しょくでき更に、洗浄ノズルを両脇に配置したことにより、複数方向からの射出水が空間の１点（肛門部）で交わることにより飛散防止が図られ、洗浄水の射出方向が後ろ方向へ出なくなったため尻部の窪みを通して後背部に抜けて便座を濡らすことを防止できる。【選択図】図２
0003213510.tif 000002
【実用新案登録請求の範囲】
【請求項１】
「お尻ノズル」の複数化により設置場所を両脇に配置させ、洗浄水の射出水方向を変更して洗浄部分で洗浄水を交わさせる。これにより洗浄水飛散を減らし、また直腸内への洗浄水侵入を防止する。
【考案の詳細な説明】
【技術分野】
【０００１】
本考案は、シャワートイレの洗浄ノズルにおける肛門部を洗浄するノズルを２本以上にし、肛門部の中心域の直下に設置されていたノズルの設置場所を両脇に移動させることによる洗浄方法の変更に関するものである。
【０００２】
１本のノズルによる肛門部の真下方向からの洗浄は使用方法によって、尻部の窪みから後背部に抜けて便座を濡らし汚す例が散見される。
【０００３】
肛門部と正対する１方向からの射出水により、水圧状況によっては、肛門部から洗浄水が直腸内に侵入し、自然な排便意によるものではなく強制的な排便を促進してしまうことと、侵入した洗浄水による健康被害が一部で懸念されている。
これらの問題の解決方法として洗浄水に振動やリズムを与えたりする工夫は進んでいるが、汚物付着の懸念という「負のイメージ」という感情の解消には繋がっておらず未だに払しょくされていない。
【背景技術】
【０００４】
シャワートイレが誕生した当初から、洗浄ノズルへの汚物付着の懸念があり、ノズル収納やノズル自体の洗浄システムなどの清浄を意識した開発をしてもこの懸念は払しょくできず自宅以外でのシャワートイレ、特に不特定多数が利用する公共性の高いトイレではシャワー機能の利用は低い。
【考案の概要】
【考案が解決しようとする課題】
【０００５】
洗浄ノズルへの汚物付着の懸念の払しょく、尻部の窪みから後背部に抜けて便座を濡らし汚れている事例、直腸内に侵入した洗浄水による健康被害への懸念。
【課題を解決するための手段】
【０００６】
肛門部中心域の直下に設置されていた単一ノズル方式を改め、複数のノズルを両脇に配置させることにより、先ず洗浄ノズルへの汚物の付着というイメージを払しょくできること、洗浄ノズルを両脇に配置したことにより、複数方向からの射出水が空間の１点（肛門部）で交わることにより飛散防止が図られること、洗浄水の射出方向が後ろ方向へ出なくなったため尻部の窪みを通して後背部に抜けて便座を濡らすことを防止できる。
【考案の効果】
【０００７】
本考案により、前述した懸念によるシャワートイレの未設置者が新たなユーザーとなりえる可能性が出てくること、既に設置されているユーザーについても衛生的で快適な生活の維持に敏感なユーザーと考えられるため、先に列記した懸念があらためてクローズアップされれば、彼らの過剰反応を促し、新方式のシャワートイレへ買い替え需要が見込める。
【図面の簡単な説明】
【０００８】
【図１】図１はマルチノズルシャワートイレの上方向からみた図である。
【図２】図２はマルチノズルシャワートイレの正面方向からみた図である。
【考案を実施するための形態】
【０００９】
洗浄ノズル数が増えるため、増設分のスペースを確保しなければならないが、限られた設備の中で確保するためには、これまでノズルそのものやノズルの誘導レールは直線的であったがこれらの曲線化も考慮していかねばならない。
【産業上の利用可能性】
【００１０】
衛生的で健康志向の消費者を対象としたイメージ戦略によっては、新規購入は勿論、既に設置し利用している消費者の買い替え行動を促す可能性がある。
【図１】
0003213510.tif 000003
【図２】
0003213510.tif 000004
【手続補正書】
【提出日】平成29年9月8日(2017.9.8)
【手続補正１】
【補正対象書類名】実用新案登録請求の範囲
【補正対象項目名】請求項１
【補正方法】変更
【補正の内容】
【請求項１】
直落する糞便を避けるため複数の「お尻ノズル」を両脇に配置させ、複数方向からの射出水を空間の１点で交わらせることにより、肛門部を洗浄することを特徴とするマルチノズルシャワートイレ。
(57)【要約】      （修正有）【課題】ソーラーライトの充電池として乾電池式充電池を使用できるようにすることにより、充電された充電池を有効活用することができるソーラーライトを提供する。【解決手段】ソーラーライトのソーラーパネルにより発電された電気を蓄電するための充電池として汎用的な乾電池式充電池を使用できるように、乾電池式充電池ボックス２を設けることで、本ソーラーライト以外の同様の乾電池式充電池を使用する他の機器でも、本ソーラーライトのソーラーパネルにより充電された充電池を利用できるようになり、ソーラーパネルにより充電された充電池を有効活用することに役立つ。【選択図】図１
0003211216.tif 000002
【実用新案登録請求の範囲】
【請求項１】
ソーラーパネル一体型のソーラーライトに、ソーラーパネルで発電された電気を乾電池式充電池に充電する機能を有する乾電池式充電池収納ボックスを設けることにより、汎用的な乾電池式充電池にソーラーパネルで発電された電気を充電できるようにすることで、充電された充電池を本ソーラーライト以外の機器でも利用できるようにしたところを特徴とするソーラーライト。
【考案の詳細な説明】
【技術分野】
【０００１】
本考案は、乾電池式充電池への充電機能を備えたソーラーライトに関するものである。
【背景技術】
【０００２】
充電池を備えたソーラーライトにおいて、ソーラーパネルで発電された電気を蓄電するための充電池としてその機器専用のものを使用している場合、充電された充電池を他の機器で使用することが難しかった。
【考案の概要】
【考案が解決しようとする課題】
【０００３】
充電池を備えたソーラーライトにおいて、ソーラーパネルにより発電された電気を蓄電するための充電池として、その機器専用の特殊な充電池を使用している場合、充電された充電池を他の機器で利用することが難しいため、充電池として汎用的な乾電池式充電池を使用できるようにすることで前述の欠点を解決しようとするものである。
【課題を解決するための手段】
【０００４】
本考案は、ソーラーライトの蓄電池として汎用的な乾電池式充電池を使用できるように、乾電池式充電池への充電機能を有する乾電池式充電池を格納するボックスを設けることで、ソーラーライトのソーラーパネルにより発電された電気を蓄電した乾電池式充電池を、同様の乾電池式充電池を使用する他の機器でも使用できるにすることにより、問題点を解決している。
【図面の簡単な説明】
【０００５】
【図１】本ソーラーライトのライトと乾電池式充電池格納ボックスを備える面を示す図である。
【図２】本ソーラーライトのソーラーパネル面を示す図である。
【符号の説明】
【０００６】
１  ＬＥＤライト
２  乾電池式充電池格納ボックス
３  ハンドル
４  ソーラーパネル
【図１】
0003211216.tif 000003
【図２】
0003211216.tif 000004
(57)【要約】      （修正有）【課題】果物の皮剥きを多用途とし安全で単価的にも安く出来る皮剥き用ハサミを提供する。【解決手段】ハサミの受刃３と切込み刃２の勾配の取り方によって構成させ、ハサミを多用途に使えるようにした栗・里いもなどの皮剥き用ハサミであって、受刃３の角度が５５°〜６５°であり、切込み刃の角度が２８°〜４０°であることを特徴とする。【選択図】図１
0003211290.tif 000002
【実用新案登録請求の範囲】
【請求項１】
ハサミの受刃３と切込み刃２の勾配の取り方によって構成させ、ハサミを多用途に使えるようにした栗・里いもなどの皮剥き用ハサミ。
【請求項２】
受刃３の角度が５５°〜６５°であり、切込み刃の角度が２８°〜４０°であることを特徴とする請求項１に記載の皮剥き用ハサミ。
【考案の詳細な説明】
【技術分野】
【０００１】
本考案は、栗・里いも・しょうが・果物などの皮剥き用ハサミである。
【背景技術】
【０００２】
従来の皮剥きは、栗を主に剥いていた。包丁で剥いていたが包丁では危ない点があり、栗を剥くだけにしては高すぎる。
【考案の概要】
【考案が解決しようとする課題】
【０００３】
従来は、皮剥き器で剥いたり、包丁で剥いたりしていた。
刃物で剥くと危ない点があり、ハサミの方が安全であり、例えばしょうがのデコボコでも角まできれいに剥くことができる。
【課題を解決するための手段】
【０００４】
本考案は、ハサミを多用途に使えるように刃の勾配の違いによって、２の切り刃と３の受刃で構成されせ、安い道具で皮剥きの問題点を解決したものである。
即ち本考案は、ハサミの受刃３と切込み刃２の勾配の取り方によって構成させ、ハサミを多用途に使えるようにした栗・里いもなどの皮剥き用ハサミである。
より好ましくは、受刃３の角度が５５°〜６５°であり、切込み刃の角度が２８°〜４０°であることを特徴とする上記に記載の皮剥き用ハサミである。
【考案の効果】
【０００５】
本考案によれば、従来は皮剥きと包丁で皮を剥いていたが、ハサミ１つでいろんなことが出来て、里いもなどのずるずるすべって危ない点があり、このハサミは危なげなく簡単に剥くことができる。栗の皮剥きは、従来の皮剥きと早さは同等である。また製品が安くできる。
【図面の簡単な説明】
【０００６】
【図１】図１は、本考案のハサミの正面図である。
【図２】図２は、本考案のハサミの刃先の勾配図である。
【考案を実施するための形態】
【０００７】
栗と果実の皮を受刃で止めて、受刃の勾配でほとんどすべることなく、切込み刃で剥いていく。受刃で止まるから、動かすのは切込み刃で剥いていく。使い方は普通のハサミと同じである。
栗剥き器は単価が高すぎることの問題を解決した。
栗の皮はもちろん渋皮まできれいに剥ける。
【産業上の利用可能性】
【０００８】
果物の皮剥きを多用途とし安全で単価的にも安く出来るハサミを提供することができる。  
【符号の説明】
【０００９】
１  ハサミ本体
２  ハサミの切込み刃
３  ハサミの受刃
４  ハサミの柄
【図１】
0003211290.tif 000003
【図２】
0003211290.tif 000004
【手続補正書】
【提出日】平成29年4月11日(2017.4.11)
【手続補正１】
【補正対象書類名】実用新案登録請求の範囲
【補正対象項目名】全文
【補正方法】変更
【補正の内容】
【実用新案登録請求の範囲】
【請求項１】
ハサミの受刃３と切込み刃２の勾配の取り方によって構成させ、前記受刃３の角度が５５°〜６５°であり、前記切込み刃の角度が２８°〜４０°でハサミを多用途に使えるようにした栗・里いもの皮剥き用ハサミ。
(57)【要約】      （修正有）【課題】サスペンショントップのプリロード調整機構に、アジャスターの回転に伴い上下に移動しない機構を持たせ、パイプハンドルに接触する可能性を解決したサスペンション用イニシャルアジャスターを提供する。【解決手段】メインボディアジャスターＮＯ１とプッシュロッドアジャスターＮＯ５の２ピース構造にし、メインボディアジャスターをベースアジャスターＮＯ４に上下しないように固定し、メインボディアジャスターＮＯ１を回すことによってプッシュロッドアジャスターＮＯ５が上下するようにした。【選択図】図１
0003211286.tif 000002
【実用新案登録請求の範囲】
【請求項１】
オートバイ用フロントサスペンションのトップに装着しプリロード調整を工具無しで行える機構を改良し、調整に伴い高さが変わるプリロード調整ノブが、サスペンション内部で上下動するようにしたものである。
【考案の詳細な説明】
【技術分野】
【０００１】本考案は、オートバイ用フロントサスペンションのトップに装着しプリロード調整を工具無しで行える機構を改良し、サスペンション内部で動くようにしたものである。
【背景技術】
【０００２】従来のアジャスターはプリロードの調整のために回転させると、本体が上下に移動していた。パイプハンドル車の場合、アジャスターが上に移動すると高さの低いハンドルでは接触し調整範囲に制約を受けていた。
【先行技術文献】
【特許文献】
【特許文献１】
【特許文献２】
【非特許文献】
【非特許文献１】
【非特許文献２】
【考案の概要】
【考案が解決しようとする課題】
【０００３】装着したアジャスターが回転し上に動いても、パイプハンドルの高さに関わらず接触をしなければプリロード調整に制約が出なくなり、理想とするセッティングを可能にしようとするものである。
【課題を解決するための手段】
【０００４】本考案は、サスペンションのトップに装着したアジャスターが回転してもサスペンション内部に組み込まれた本考案パーツが上下する構造となっている。その事により、アジャスターの高さが変わることなくプリロード調整を可能とし、パイプハンドルに接触するという問題を解決している。
【考案の効果】上述のように、アジャスターの回転に伴う上下移動でパイプハンドルへ接触が無くなったことで、パイプハンドルの高さを考慮しなくてもプリロード調整が最大限に行えるようになり、より適切なセッティングを可能とした。
【図面の簡単な説明】
【０００５】
【図１】本考案の断面図
【図２】本考案の一部切欠断面図
【考案を実施するための形態】
【０００６】左右のノーマルフロントフォークよりトップキャップを取り外し、本考案イニシャルアジャスターを取り付ける。
キャップトップを左右に回すことによってフロントフォーク内のスプリングを伸縮させスプリングの硬さを調整する。
【実施例】
【０００７】以下添付図に従って一実施例を説明する。
ＮＯ７．プリロード、アジャスター、ノブを回すことによってＮＯ５．プッシュロッドアジャスターが上下に動きＮＯ３．プシュッロド、プレートがフォークスプリングを伸縮させる。
【産業上の利用可能性】
【符号の説明】
【０００８】ＮＯ１．メインボディ、アジャスター
ＮＯ２．キャップ、トップ
ＮＯ３．プレート、プッシュロッド
ＮＯ４．ベース、アジャスター
ＮＯ５．プッシュロッド、アジャスター
ＮＯ６．プレート、ベース
ＮＯ７．プリロード、アジャスター、ノブ
【図１】
0003211286.tif 000003
【図２】
0003211286.tif 000004
【手続補正書】
【提出日】平成29年4月13日(2017.4.13)
【手続補正１】
【補正対象書類名】実用新案登録請求の範囲
【補正対象項目名】全文
【補正方法】変更
【補正の内容】
【実用新案登録請求の範囲】
【請求項１】
サスペンションのトップの調整部分と内部の調整部分を分離させた構造にすることで、トップの調整機構を使用すると内部の調整部分だけが上下動することを特徴とするサスペンション用イニシャルアジャスター。
(57)【要約】      （修正有）【課題】室内外におけるセンサーの情報を収得し、クラウド上でデータ解析を行う事ができるコンセントアダプターを提供する。【解決手段】本考案のコンセントアダプターには小型のコンピュータを内蔵している。このコンピュータはＰＬＣ（ｐｒｏｇｒａｍｍａｂｌｅ  ｌｏｇｉｃ  ｃｏｎｔｒｏｌｌｅｒ）等の有線或いは、短距離通信を用いた無線接続によって、他のコンセントアダプターとのネットワークを構築している。【選択図】図１
0003211284.tif 000002
【実用新案登録請求の範囲】
【請求項１】
屋内外に設置されたコンセントに接続する事ができ、小型のコンピュータを内蔵したコンセントアダプター。
【請求項２】
請求項１のコンセントアダプターで、１つ以上の他のコンセントアダプターとＰＬＣ（ｐｒｏｇｒａｍｍａｂｌｅ  ｌｏｇｉｃ  ｃｏｎｔｒｏｌｌｅｒ）等の有線或いは無線による通信が可能な小型コンピュータを有するコンセントアダプター。
【請求項３】
電源をコンセント（照明器具を取り付けるソケットを含む）から取ることの出来るコンセントアダプターで、停電時に作動するバッテリーを有する請求項１の小型コンピュータを有するコンセントアダプター。
【請求項４】
請求項１の小型コンピュータはセンサーの受信機を有する事で、身体センサー、ウエブカメラ、温度センサー、湿度センサー等の情報を受信出来るＵＳＢポートを有するコンセントアダプター。
【請求項５】
屋内外の電気機器を赤外線等で制御できるコントローラー機能を持った請求項１の小型コンピュータを有するコンセントアダプター。
【請求項６】
請求項１の小型コンピュータを有するコンセントアダプターの機能を持たせたコンセント。
【考案の詳細な説明】
【技術分野】
【０００１】本考案は、屋内外におけるコンセントに装着するコンセントアダプターに関するものである。
【背景技術】
【０００２】従来、コンセントアダプターは多様な電気器具に電力を与える為、二股或いは三股と電力を分岐させる為に使われてきた。従来どおり電気器具に電力を供給するのはもちろん、それ以上に電気器具に対しての電力制御或いはデータ収集に用いられる用途も考えられた。【０００３】電力制御する場合、スイッチの切り替えでオンオフを操作するものや、電圧等をダイヤルで可変させ制御するものもみられた。或いはオンオフの情報を用い、自宅に居るのかどうかの判断や居住者の生死を判断するもの等に使用されていた。
【参考文献】
【０００４】
【参考文献１】
特願２０１１−５４３９４２
【参考文献２】
特願２００９−１５０８４８
【参考文献３】
特願２０１０−１２８９７１
【参考文献４】
特願２０１４−１９９２２５
【考案が解決しようとする課題】
【０００５】本考案は、コンセントアダプターを用いる事で、室内外におけるセンサーの情報を収得し、クラウド上でデータ解析を行う事を課題とした。
【課題を解決するための手段】
【０００６】本考案のコンセントアダプターには小型のコンピュータを内蔵している。このコンピュータはＰＬＣ（ｐｒｏｇｒａｍｍａｂｌｅ  ｌｏｇｉｃ  ｃｏｎｔｒｏｌｌｅｒ）等の有線或いは、短距離通信を用いた無線接続によって、他のコンセントアダプターとのネットワークを構築している。
【０００７】内蔵された小型コンピュータにはＵＳＢポートがあり、室内外のセンサーの受信機を有している。例えば、身体に装着されたセンサーから、体温・心拍・３軸或いは６軸加速度センサーによる情報、気温・湿度等の情報、ウエブカメラからのリアルタイムの画像情報等を受信し、クラウド上での解析を行う事ができる。
【０００８】本考案のコンセントアダプターの電源は、当然コンセント（照明器具と取り付けるソケットを含む）からの電源供給以外にバッテリーを有する事で停電時の対応も可能なものとした。更には、赤外線送信等の機能を利用し、屋内外の電気機器の管理を行う事もできる。
【０００９】本考案はコンセントアダプターについてのものであるが、コンセント内に小型コンピュータ等を内蔵することによっても機能を果たすことができる。
【図面の簡単な説明】
【００１０】
【図１】はコンセントアダプターの外観図面である。電気機器からのプラグの差込口（Ａ）とコンセントへの差込口（Ｂ）はつながっていて、電力の供給機能を果たす。コンセントアダプター（Ｃ）には、ＵＳＢポート（Ｅ）、赤外線等の送信機（Ｄ）を有している。
【図２】はコンセントアダプターの上部から見た構成図である。ＵＳＢポート（Ｅ）は小型コンピュータ（Ｆ）と接続され、屋内外に設置されたセンサーの情報をＵＳＢポート（Ｅ）にセンサー受信機を取り付けた場合、情報クラウド上に送信する事ができる。また、バッテリー（Ｇ）を有する事で、停電時においても一時的な電源供給が可能なものとした。
【符号の説明】
【００１１】（Ａ）は電気機器からのプラグの差込口である。
（Ｂ）はコンセントへの差込口である。
（Ｃ）はコンセントアダプター本体である。
（Ｄ）は赤外線等の送信機である。
（Ｅ）はＵＳＢポートである。
（Ｆ）は小型コンピュータである。
（Ｇ）はバッテリーである。
【図１】
0003211284.tif 000003
【図２】
0003211284.tif 000004
【手続補正書】
【提出日】平成29年4月13日(2017.4.13)
【手続補正１】
【補正対象書類名】実用新案登録請求の範囲
【補正対象項目名】全文
【補正方法】変更
【補正の内容】
【実用新案登録請求の範囲】
【請求項１】
屋内外に設置されたコンセントに接続する事ができ、小型のコンピュータを内蔵したコンセントアダプター。
【請求項２】
請求項１のコンセントアダプターで、１つ以上の他のコンセントアダプターとＰＬＣ（ｐｏｗｅｒ  ｌｉｎｅ  ｃｏｍｍｕｎｉｃａｔｉｏｎ）等の有線或いは無線による通信が可能な小型コンピュータを有するコンセントアダプター。
【請求項３】
電源をコンセントから取ることの出来るコンセントアダプターで、停電時に作動するバッテリーを有する請求項１の小型コンピュータを有するコンセントアダプター。
【請求項４】
請求項１のコンセントアダプターで、前記小型コンピュータはセンサーの受信機を有する事で、身体センサー、ウエブカメラ、温度センサー、湿度センサー、加速度、人感センサーの情報を受信出来るＵＳＢポートを有するコンセントアダプター。
【請求項５】
屋内外の電気機器を赤外線で制御できるコントローラー機能を持った請求項１の小型コンピュータを有するコンセントアダプター。
【請求項６】
請求項１の小型コンピュータを有するコンセントアダプターの機能を持たせたコンセント。
(57)【要約】      （修正有）【課題】コストダウンが図れ、現場にて簡易な施工を可能とし、高い注視効果を得ることができる半立体提灯型ポップを提供する。【解決手段】広告表示面８と、外背板１と、内背板５とを備える半立体提灯型ポップであって、内背板５は、差込孔６を有し、外背板１は、差込孔６に挿入する固定片２を有し、固定片２は、はずれ防止突起３を有し、外背板１及び内背板５を重ねると共に、差込孔６に、固定片２を、はずれ防止突起３まで挿入することにより、広告表示面８が湾曲突出する。【選択図】図３
0003211283.tif 000002
【実用新案登録請求の範囲】
【請求項１】
内背板５に開けられた差込孔６に、外背板１の固定片２をはずれ防止突起３まで挿入することにより広告表示面８が湾曲突出する半立体提灯型ポップ。また底板４に取り付けられた短冊型広告表示スペース１５が微風で可動する。外背板１と内背板５に開けられた壁掛け用フック穴９と壁掛け用フック穴１０を利用して壁面掲示が可能。
【考案の詳細な説明】
【技術分野】
【０００１】  本考案は従来の販促を目的とした提灯に近い注視効果を、厚紙あるいはプラスチック製素材と簡単な構造とで立体的かつ安価に再現することにより、販促物としての費用対効果を高めるものである。
【背景技術】
【０００２】  従来、提灯は看板や装飾、販促品として認知されているが概ね高価である。また既存の販促及び広告ポスター等掲示物は概ね平面的で他との差異化が難しい。
【先行技術文献】
【特許文献】
【０００３】
【特許文献１】公開番号  特開２００２−４０９４０
【考案の概要】
【考案が解決しようとする課題】
【０００４】  従来、提灯の制作には様々な部材を必要とし、高度かつ熟練した組立技術を要する。故に単価が高くロット数の必要な販促物としては不向きであった。また既存の販促及び広告ポスター等掲示物は平面的で他との差異化が困難であった。
【課題を解決するための手段】
【０００５】  素材を単一にし、構造を簡素化することにより、従来の販促を目的とした提灯に近い立体的効果を安価に再現する。同時に広告表示面が湾曲突出し平面販促物との差異化が図れる。
組立方としては内背板５に開けられた差込孔６に、外背板１の固定片２をはずれ防止突起３まで挿入し固定する。それにより広告表示面８が湾曲突出する。底板４に紐１４を使って短冊型広告表示スペース１５を取り付ける。底板４を本体内部に押し込む。外背板１と内背板５に設けられた壁掛け用フック穴９と壁掛け用フック穴１０を利用して壁面に掲示する。
【考案の効果】
【０００６】  素材を単一にし、構造を簡素化することにより、従来の販促を目的とした提灯よりもコストダウンが図れ、現場にて簡易な施工を可能とし、他の平面的な販促物よりも高い注視効果を得ることが出来る。また店内装飾物としても機能する。組立前は平面の為、物流コストを大幅にダウンさせることができる。
【図面の簡単な説明】
【０００７】
【図１】正面斜視図
【図２】背面斜視透視図
【図３】展開図
【考案を実施するための形態】
【０００８】  本考案は、厚紙あるいはプラスチック製素材を用いて製造し、正面背面天地左右等の位置関係は組立完成状態で正面からを基準に表示し、山折谷折で記述する折曲げ方向は外側からを基準にして表示する。
【０００９】  図１の正面斜視図は広告表示面８を正面にし、紐１４と短冊型広告表示スペース１５を取り付けた完成図である。
【００１０】  図２の背面斜視透視図は内背板５に開けられた差込孔６に、外背板１の固定片２をはずれ防止突起３まで挿入し、広告表示面８を湾曲突出させ、外背板１の底板４を内側に折り込むことにより外背板１と内背板５を平らに保持し、紐１４と短冊型広告表示スペース１５を取り付けた完成背面斜視透視図である。
【００１１】  図３は本考案の広告表示面から見た展開図である。広告表示面８は小田原型、弓張型、桶型（切長型）等に意匠の変更が可能である。
【実施例】
【００１２】  本考案は厚紙あるいはプラスチック製素材を用いて製造する。組立方法としてはまず、外背板１の固定片２と底板４の折れ線を山折りし折りくせをつける。紐用スリット１３に短冊型広告表示スペース１５に付いた紐１４を差し込む。次に広告表示面８に接する内背板５と外背板１の折れ線を山折りする。広告表示面８を適度に湾曲させながら固定片２を差込孔６にはずれ防止突起３まで挿入し固定する。外背板１の底板４を内側に折り込むことにより外背板１と内背板５を平らに保持し強度が増す。壁掛け用フック穴９と壁掛け用フック穴１０を用いて壁面掲示が可能となる。
【符号の説明】
【００１３】  １  外背板
２  固定片
３  はずれ防止突起
４  底板
５  内背板
６  差込孔
７  抜け防止切込
８  広告表示面
９  壁掛け用フック穴
１０  壁掛け用フック穴
１１  背板反り防止片
１２  背板反り防止片挿入孔
１３  紐用スリット
１４  紐
１５  短冊型広告表示スペース
【図１】
0003211283.tif 000003
【図２】
0003211283.tif 000004
【図３】
0003211283.tif 000005
【手続補正書】
【提出日】平成29年4月5日(2017.4.5)
【手続補正１】
【補正対象書類名】実用新案登録請求の範囲
【補正対象項目名】全文
【補正方法】変更
【補正の内容】
【実用新案登録請求の範囲】
【請求項１】
広告表示面８と、外背板１と、内背板５とを備える半立体提灯型ポップであって、
前記内背板５は、差込孔６を有し、
前記外背板１は、前記差込孔６に挿入する固定片２を有し、
前記固定片２は、はずれ防止突起３を有し、
前記外背板１及び前記内背板５を重ねると共に、前記差込孔６に、前記固定片２を、はずれ防止突起３まで挿入することにより、前記広告表示面８が湾曲突出することを特徴とする半立体提灯型ポップ。
【請求項２】
前記外背板１は、前記ポップの内側に折り込まれる底板４を有し、
前記底板４には、短冊型広告１５を取り付けたことを特徴とする請求項１に記載の半立体提灯型ポップ。
【請求項３】
前記外背板１及び前記内背板５は、それぞれ壁掛け用フック穴９，１０を有することを特徴とする請求項１又は請求項２に記載の半立体提灯型ポップ。
(57)【要約】【課題】ベルトコンベヤのローラの表面に最初の付着層ができにくく、例え固着した場合でも残渣物はローラの回転にともなう振動によって固着物の表面にひび割れが生じると同時に剥がれ落ちるローラを提供する。【解決手段】ベルトコンベヤに於けるベルト支承用のローラＡの外周面に低硬さで耐摩耗性の、かつ反発弾性率が高い焼付ゴム外被膜Ｃを設けた構成を採用する。【選択図】図１
0003211252.tif 000002
【実用新案登録請求の範囲】
【請求項１】
ベルトコンベヤに於けるベルト支承用のローラ又はプーリの外周面に低硬さで耐摩耗性の、かつ反発弾性率が高い焼付ゴム外被膜を設けたことを特徴とするベルトコンベヤのローラ又はプーリ。
【考案の詳細な説明】
【技術分野】
【０００１】
この考案は、ベルトコンベヤに用いるローラやプーリに関する。
【背景技術】
【０００２】
ベルトコンベヤのキャリヤ側やリターン側には、ベルトを支承するローラが用いられ、またベルトのヘッド側及びテール側には、プーリが用いられる。
【０００３】
周知のように、特にばら物搬送物のベルトコンベヤにおけるキャリヤ側、リターン側ローラやヘッド及びテールのプーリ表面に付着する搬送物の残渣物や、粉塵あるいは落荷などがコンベヤベルトと接するときに、ベルトの自重やベルトの張力によってこれらの表面に圧接されることによる固着（居着き）は、設置されているクリーニング設備の効果に差はあっても、避けられなかった。
【０００４】
また、コンベヤの運転状況や特異性あるいは、搬送物の性状によって均一に固着しないで片寄る場合が多く、これが要因となってベルト蛇行の原因や落荷、騒音あるいは振動の原因となることが多くみられた。
【０００５】
そこで、対策の一つとして、プーリの表面においては通常のゴム巻きやセラミックあるいは、既知の軟質耐摩耗性ゴムを張り付け又は焼き付け施工する場合が多く、プーリ表面の場合は固着防止に軟質ゴムの焼き付け法やセラミック片の張り付けは、既成の技術として確立している。例えば、高純度天然ゴム製品がある（例えば特許文献１等参照）。
【先行技術文献】
【特許文献】
【０００６】
【特許文献１】特許第２８２５７７１号公報
【考案の概要】
【考案が解決しようとする課題】
【０００７】
ところで、特許文献１の構成によると、ベルトコンベヤ用ローラの金属製の芯材の外周に、ゴム母材中にフィブリル化された高弾性率の短繊維を分散させた短繊維複合ゴム成形体を設けたものである（この短繊維としては、ケプラー、ラミ、野蚕等で、その長さは、３〜６ｍｍ程度のものが好適である）。
【０００８】
上記のような条件によると、短繊維の配合比率が少なかったり多かったりすると不都合が生じる。
【０００９】
例えば、短繊維の配合比率が少ないと、ゴム成形体の伸びや引裂強さが実用的でない。短繊維の配合比率が多いと、短繊維がゴム成形体の表面から毛羽立って使用に適さないと共に、毛羽だった短繊維に搬送物の残渣物や粉塵などが圧接されて居着の原因となる問題があった。
【００１０】
そこで、この考案は、上述の問題をなくするようにしたベルトコンベヤのローラ、プーリを提供することにある。
【課題を解決するための手段】
【００１１】
上記の課題を解決するために、この考案は、ベルトコンベヤに於けるベルト支承用のローラ又はプーリの外周面に低硬さで耐摩耗性の、かつ反発弾性率が高い焼付ゴム外被膜を設けた構成を採用する。
【考案の効果】
【００１２】
以上のように、この考案のベルトコンベヤのローラ、プーリによれば、ローラ又はプーリの外周に砥硬さで耐摩耗性の、かつ反発弾性率が高いゴム外複膜を焼き付けにより設けてあるので、ローラやプーリの表面に最初の付着層ができにくく、例え固着（居着き）した場合でも残渣物はローラやプーリの回転にともなう振動によって固着物の表面にひび割れが生じると同時に剥がれ落ちることでベルトの蛇行が起こりにくくなる特有の効果がある。
【００１３】
そして、焼き付けにより外被膜を設けるので、外被膜の表面が非常に滑らかに仕上がり、剥がれ効果が一段と向上し、かつ接合部を有しない一体型なので、剥がれて脱落することがない。
また、ゴム外被膜が耐摩耗性があるため、耐久性が向上する利点もある。
【図面の簡単な説明】
【００１４】
【図１】この考案のゴム外被膜をローラの表面に設けた一部切欠正面図である。
【図２】この考案のゴム外被膜をプーリの表面に設けた一部切欠正面図である。
【考案を実施するための形態】
【００１５】
次に、この考案の実施の形態を添付図面に基づいて説明する。
図１示すＡは、ベルトコンベヤに於けるベルト支承用のキャリヤ側及びリターン側ローラである。
【００１６】
このローラＡは、周知のように、両端閉鎖端板（図示省略）を有する金属製などの筒体１と、この筒体１の中心に貫通させて上記端板に保持した軸受（ベアリングなど）でフリーに回転するように軸承したセンタ軸２とで構成されている。
【００１７】
図に示すＢは、ベルトコンベヤに於ける無端状ベルトのテール及びヘッドの反転部分を支承するプーリである。
【００１８】
上記のプーリＢは、周知のように、両端閉鎖端板（図示省略）を有する金属製などの筒体１１と、上記両端板の中心から外方に突出するセンタ軸１２とで構成されている。
【００１９】
上記ローラＡ又はプーリＢの筒体１、１１の外周面には、低硬さで耐摩耗性の、かつ反発弾性率の高いゴム外被膜Ｃが焼き付けにより設けてある。
【００２０】
上記の外被膜Ｃとしては、軟質耐摩耗性の天然ゴムで、対象物（搬送物）の付着や固着を防止する反発弾性率が高い（弾性ゴムとしての硬度３２°の）ものを使用している。
【００２１】
そして、筒体１、１１に対する外被膜Ｃの接着のための焼き付け手段としては、筒体１、１１の外周面に接着剤の塗布した外被膜剤を巻き付けたのち、その外側を組立、分解できる金型で包持したのち、加熱窯で加熱処理（外被膜材を加硫にともない）して焼き付ける。
【００２２】
上記のように、ローラ又はプーリの外周面に外被膜を設けることで、ローラ又はプーリの表面に付着層ができにくく、例え固着（居着きの状態が起生した）した場合でも残渣物はローラやプーリの回転にともなう振動により固着物の表面にひび割れが生じると同時に剥がれ落ちることで、ベルトの蛇行が起こりにくくなる。
勿論、金型の使用にもともない外被膜Ｃの表面は凹凸がなく美しく仕上がり、かつ剥離して脱落することがない。
【符号の説明】
【００２３】
Ａ    ローラ
Ｂ    プーリ
Ｃ  外被膜
１、１１    筒体
【図１】
0003211252.tif 000003
【図２】
0003211252.tif 000004